(57)【要約】【課題】インキ量が多いと乾燥性が悪くにじんでしまう。インキ量を少なくすると印刷媒体の色が透過して見えてしまっていた。【解決手段】少なくとも白色インキを吐出するヘッドを有する描画装置であって、前記白色インキを描画した後に、その白色インキの上面に他のインキを描画させたことを第１の要旨とし、少なくとも白色インキを吐出するヘッドを有する描画装置であって、前記白色インキの吐出量を印刷媒体の種類によって可変させたことを第２の要旨とした描画装置。【選択図】　図２
2004025762.tif 000002
【特許請求の範囲】
【請求項１】
少なくとも白色インキを吐出するヘッドを有する描画装置であって、前記白色インキを描画した後に、その白色インキの上面に他のインキを描画してなる描画装置。
【請求項２】
前記白インキの上面に描画する他のインキに応じて、白インキの吐出量を可変させたことを特徴とする請求項１記載の描画装置。
【請求項３】
前記白色インキのみの描画の際には、その白インキの吐出量を多くしたことを特徴とする描画装置。
【請求項４】
少なくとも白色インキを吐出するヘッドを有する描画装置であって、前記白色インキの吐出量を印刷媒体の種類によって可変させたことを特徴とする描画装置。
【発明の詳細な説明】
【０００１】
【発明の属する技術分野】
本発明は、少なくとも白色インキを吐出するヘッドを有する描画装置に関する。
【０００２】
【従来の技術】
一般的に、インキを吐出するヘッド機構は、ブラック（黒色）とシアン（藍色）、マゼンダ（紅色）、イエロー（黄色）の４個のヘッドから構成されている。そして、それら４個のヘッドは、平行な位置に配置されている。
この様な従来技術において、インキの印刷媒体に対する隠蔽性を高めるためには、印刷媒体の進行を停止させ、同色のヘッドを往復させるか、或いは、インキの吐出量を多くしていた。
【０００３】
【発明が解決しようとする課題】
ところで、一般的には、白色の印刷媒体に描画を行っているが、近年においては、黒色や水色と言った有色の印刷媒体が使用されようになってきた。使用するインキの減量化や描画速度を向上させるためであって、例えば、黒の描画領域が多い場合には、予め、黒色の印刷媒体を使用し、また、水色の描画領域が多い場合には、水色の印刷媒体を使用するのである。
しかし、例えば、黒色の印刷媒体に水色を描画すると、印刷媒体の黒色が透けて見えてしまい、黒ずんだ水色となってしまう。ここで、水色のインキの吐出量を多くすることも考えられるが、乾燥性が悪くなってしまうばかりでなく、返って、インキの使用量を増加させてしまう場合もあった。
【０００４】
【課題を解決するための手段】
そこで、本発明は、少なくとも白色インキを吐出するヘッドを有する描画装置であって、前記白色インキを描画した後に、その白色インキの上面に他のインキを描画させたことを第１の要旨とし、少なくとも白色インキを吐出するヘッドを有する描画装置であって、前記白色インキの吐出量を印刷媒体の種類によって可変させたことを第２の要旨とする。
【０００５】
【作用】
印刷媒体の色が白インキによって隠蔽される。
【０００６】
【実施例】
１例を図１、図２に示し説明する。比較的大きな、例えば、幅が２ｍ程度のロール型の印刷媒体に描画を行う描画装置である。筐体１には、描画される紙や軟質樹脂材からなる印刷媒体２と、その印刷媒体２を下方（頭中、矢印の方向）に移動させるローラー３などが配置されている。また、前記印刷媒体（記録面）２の上面には、その印刷媒体２に描画するためのインキジェットなどの印刷ユニット４が位置している。その印刷ユニット４は、Ｌ型状の基台５に対して着脱自在に固定されている。メンテナンスの容易性を考慮してのことである。そして、その基台５はタイミングベルト６に固定されているが、そのタイミングベルト６は、前記印刷媒体２のほぼ全幅に渡って回転自在に配置されている。即ち、前記印刷ユニット４が、印刷媒体２の幅方向の全体に対して移動可能なものとなっている。尚、ベルトの種類としては、例示したタイミングベルトの他に、スチールベルトや繊維束体からなるベルトなども挙げられる。符号７は、描画された印刷場板２を巻き取る巻き取り棒であって、図中上方から下方に向けて印刷媒体２が進行（矢印方向）し巻き取られる。
【０００７】
次に、前記印刷ユニット４について詳述する。図中左方向を前方、右方向を後方という。前記Ｌ型の基台５には、多数、本例においては１２個のインキジェットヘッドが配置されているが、これに限られるものではないが、多くなるに従って高速で綺麗な描画をすることができるようになる。
具体的に、その配置について説明すると、基台５の最前方には、白色インキを吐出する２個の第１ヘッド群８（８ａ、８ｂ）が取り付けられているが、それらヘッド８ａ、８ｂは、インキ吐出部９間の２分の１ずらして取り付けられている（図３参照）。即ち、ヘッド８ａで描画されたインキドット間にヘッド８ｂからのインキが吐出・描画するようになっている。つまり、解像度を２倍に向上させているのである。また、この第１ヘッド群８の後方には、隙間Ｓ１を設けて第２ヘッド群１０が取り付けられている。この第２ヘッド群１０も白インクを吐出するヘッドであり、第１ヘッド群８と同様に２個のヘッド１０ａ、１０ｂから構成されている。前記隙間Ｓ１は、使用されているヘッドの長さとなっているが、これに限らずヘッドの長さの倍数とし、その倍数を大きくしても小さくしても良いが、白インキの乾燥を向上させるには大きく設定した方が良い。
符号１１は、各ヘッドの取り付け部材であって、その取り付け部材１１には、前記各ヘッドの前後・左右の位置を微調整する調整機構１２が設けられている。
【０００８】
前記白インクを吐出する第１ヘッド群８や第２ヘッド群１０の後方には、隙間Ｓ２を有して黒インクを吐出する第３ヘッド群１３や水色インクを吐出する第４ヘッド群１４、橙色を吐出する第５ヘッド群１５、並びに、黄色インクを吐出する第６ヘッド群１６が取り付けられている。これら第３ヘッド群１３〜第６ヘッド群１６は、前記第１ヘッド群８と同様に２個のヘッドから構成されている。
尚、これらの各ヘッド群の下方であって、印刷媒体２の仮面には、描画されたインキの乾燥を促進させるヒーターなどが配置されている。
【０００９】
ここで、前記各インキの隠蔽力は数値化され、図示せずの記憶装置に格納されている。そのインクの隠蔽力は、色測計などで計測することができ、その計測値に基づいて記憶装置に格納されている。本実施例では、黒色インキの隠蔽力は８、水色インキは６、橙色インキは５、黄色インキは２となっている。また、必要とされる隠蔽力（印刷媒体の色が透過して見えなくなる力）は１０に設定されている。尚、この必要とされる隠蔽力は、印刷媒体の色は勿論であるが、材質や表面粗さ、用途などよって相違するものであって、適宜選定される。次に、各インキの吐出量の１例を説明する。例えば、黒色の印刷媒体に緑色を描画する例である。緑色は、水色と黄色の組み合わせで構成される。この時の各インキの吐出量は、以下に示す計算で算出される。
（６（水色の隠蔽力）×１００＋２（黄色の隠蔽力）×１００）／１０００＝０．８
この０．８が、本例のインキ塗付量の係数となる。
よって、
６（水色の隠蔽力）＋２（黄色の隠蔽力）＋０．８（係数）＝８．８
つまり、描画する部分の隠蔽力は８．８となり、必要とする隠蔽力が１０であるから、（１０−８．８）＝１．２となり、この１．２の隠蔽力が不足していることになる。よって、この１．２の隠蔽力を白インキの塗布によって補えばよいことになる。
【００１０】
次に動作について説明する。前述したように黒色の印刷媒体２を使用した場合には、例えば、その表面に緑色を描画すると鮮やかな緑色ではなく、黒色をおびた緑色になってしまう。そこで、該部分を最初に白インキで描画する。前述したように、１．２の隠蔽力が得られるように白インキの吐出量を調整する。勿論、描画装置に組み込まれている制御装置によって、前記白色インキの吐出量が自動的に調整されるが、分割して描画しても良い。本実施例では、白インキを分割して描画している。具体的に説明すると、１度の描画では０．６の隠蔽力が得られるよう描画している。この動作を２回繰り返している。いわいる、重ね塗りである。この時、１度目のインキ（描画）が乾燥する前に２度目の描画を行うとインキが垂れてしまったり、玉状になってしまったりする。そこで、本実施例は、隙間Ｓ１を設けてある。即ち、第１ヘッド群８によって描画後、遅延して、つまり、多少時間をおいて第２ヘッド群１０が描画するようになっている。これによって、最初に描画した白インキ（第１ヘッド群８による描画）が乾燥した後に、次の白インキ（第２ヘッド群１０による描画）が描画されるようになっている。
次いで、上層白インキ（第２ヘッド群１０による描画）が隙間Ｓ２によって乾燥し、その後、各水色や黄色などのインキ（第３ヘッド群１３〜第６ヘッド群１６による描画）が前記白色インキの表面に吐出され描画される。
ここで、白色インキのみを描画するときには、隠蔽力が１０得られるような吐出量とする。しかし、印刷媒体の色が、例えば、水色である場合には、白色インキの隠蔽力が６．４でよいことになるから、白インキの吐出量は黒の印刷媒体に描画するときよりも減少されることになる。
尚、白色インキの例としては、白色顔料などを含む、高隠蔽性のインキを使用するのが好ましい。
【００１１】
第２例を図４に示し説明する。白色インキを吐出する第１ヘッド群８と第２ヘッド群１０，並びに、各有色ヘッド群１３〜１６を印刷媒体に対して角度を有しているが直線上に配列した例である。勿論、白色インキを吐出する第１ヘッド群８と第２ヘッド群１０との間には隙間Ｓ１が設けられており、また、第２ヘッド群１０と黒色インキを吐出する第４ヘッド群１３との間にも乾燥を向上させる隙間Ｓ２が設けられている。
第３例を図５に示し説明する。前記第２例の各ヘッドを等間隔で設置した例である。また、本例においては、第１並び荷台ヘッド群の各々のヘッド間にも隙間を形成している。具体的に説明すると、ヘッド８ａとヘッド８ｂとの間には隙間Ｓ３が、また、ヘッド８ｂとヘッド１０ａとの間には隙間Ｓ４が、そして、ヘッド１０ａとヘッド１０ｂとの間には隙間Ｓ５が設けられている。勿論、ヘッド１０ｂと有色のヘッド群１３との間にも隙間Ｓ６が設けられている。この様に、各ヘッドを等間隔に配置することによって、解像度は減少するものの、高速で描画することが可能となる。
【００１２】
【発明の効果】
本発明は、少なくとも白色インキを吐出するヘッドを有する描画装置であって、前記白色インキを描画した後に、その白色インキの上面に他のインキを描画させたことを第１の要旨とし、少なくとも白色インキを吐出するヘッドを有する描画装置であって、前記白色インキの吐出量を印刷媒体の種類によって可変させたことを第２の要旨としたので、綺麗な描画を行うことができる。
【図面の簡単な説明】
【図１】描画装置を示す斜視図。
【図２】印刷ユニットを示す上面図。
【図３】第１ヘッド群の底面模式図。
【図４】印刷ユニットの第２例を示す上面図。
【図５】印刷ユニットの第３例を示す上面図。
【符号の説明】
１　　　　筐体
２　　　　印刷媒体
３　　　　ローラー
４　　　　印刷ユニット
５　　　　基台
６　　　　ベルト
７　　　　巻き取り棒
８　　　　第１ヘッド群
９　　　　インキ吐出部
１０　　　第２ヘッド群
１１　　　取り付け部材
１２　　　調整機構
１３　　　第３ヘッド群
１４　　　第４ヘッド群
１５　　　第５ヘッド群
１６　　　第６ヘッド群
Ｓ１　　　隙間
Ｓ２　　　隙間
Ｓ３　　　隙間
Ｓ４　　　隙間
Ｓ５　　　隙間
Ｓ６　　　隙間
【図１】
2004025762.tif 000003
【図２】
2004025762.tif 000004
【図３】
2004025762.tif 000005
【図４】
2004025762.tif 000006
【図５】
2004025762.tif 000007